(57)【要約】      （修正有）【課題】風防ガラスを確実に払拭する効果を有するワイパーを提供する。【解決手段】ワイパーは、少なくとも一つの側板１１及び少なくとも一つの結合塊１２を有する結合部材１と、少なくとも一つのバーテブラ２１と間隙Ｇとを有するバーテブラユニット２と、払拭ゴム３とを含み、少なくとも一つのバーテブラは、少なくとも一つの第一位置固定孔２２及び相対的な二つの側縁を有し、少なくとも一つの結合塊が少なくとも一つの第一位置固定孔に穿通し、少なくとも一つの側板は、少なくとも一つのバーテブラにおいて、二つの側縁の一つに当接し、少なくとも一つの側板と少なくとも一つの結合塊とを熔接により結合され、払拭ゴムがバーテブラユニットの間隙に結合される。【選択図】図１
0003234365.tif 000002
【実用新案登録請求の範囲】
【請求項１】
少なくとも一つの側板及び少なくとも一つの結合塊を有する結合部材と、少なくとも一つのバーテブラ及び間隙を有するバーテブラユニットと、払拭ゴムとを含み、
前記少なくとも一つのバーテブラは、少なくとも一つの第一位置固定孔及び相対的な二つの側縁を有し、前記少なくとも一つの結合塊が前記少なくとも一つの第一位置固定孔を穿通し、前記少なくとも一つの側板は前記少なくとも一つのバーテブラにおいて前記二つの側縁の一つに当接し、前記少なくとも一つの側板と前記少なくとも一つの結合塊が熔接により結合され、前記払拭ゴムが前記バーテブラユニットの間隙に結合される
ことを特徴とするワイパー。
【請求項２】
前記少なくとも一つのバーテブラは二つの第一位置固定孔を有し、結合部材は二つの結合塊を有し、当該二つの結合塊はそれぞれ二つの第一位置固定孔を穿通すると共に、前記少なくとも一つのバーテブラを固定するように熔接により結合されることを特徴とする請求項１に記載のワイパー。
【請求項３】
前記結合部材は二つの側板と四つの結合塊を有し、当該二つの側板と四つの結合塊は互いに間隔を取って相対するように結合部材の底面に連接され、前記四つの結合塊は二つの側板の内側にそれぞれ位置し、前記二つの側板はそれぞれ二つの結合塊の位置に対応するように設けられることを特徴とする請求項１に記載のワイパー。
【請求項４】
前記バーテブラの数が二個であり、前記間隙は二つのバーテブラの間に形成され、前記二つのバーテブラはそれぞれ二つの第一位置固定孔を有することを特徴とする請求項１に記載のワイパー。
【請求項５】
前記払拭ゴムは相対する二つの結合溝を有し、払拭ゴムが二つの結合溝により前記間隙に嵌合されることを特徴とする請求項４に記載のワイパー。
【請求項６】
前記バーテブラユニットは二つのカバーを有し、バーテブラの数が二個であり、二つのカバーはそれぞれ二つバーテブラの相対する端部に嵌合されることを特徴とする請求項１に記載のワイパー。
【請求項７】
前記二つのカバーはそれぞれ二つの係合塊を有し、前記二つのバーテブラの相対する二つの端部はそれぞれ第二位置固定孔を有し、各カバーの二つの係合塊は同時に二つのバーテブラの二つの第二位置固定孔を穿通することを特徴とする請求項６に記載のワイパー。
【請求項８】
前記結合塊の各々は矩形突起柱の形状を有し、当該矩形突起柱の厚さは矩形突起柱の固定端から自由端に向かって次第に縮減することを特徴とする請求項１に記載のワイパー。
【請求項９】
前記結合部材は二つの第一枢結部を有し、当該二つの第一枢結部は同軸となるように設けられることを特徴とする請求項１に記載のワイパー。
【請求項１０】
前記少なくとも一つの側板及び少なくとも一つの結合塊の自由端が熔接により前記少なくとも一つのバーテブラの側縁と表面に貼接されることを特徴とする請求項１に記載のワイパー
【考案の詳細な説明】
【技術分野】
【０００１】
本考案は、ワイパーに関するもので、特に、風防ガラス用のワイパーに関するものである。
【背景技術】
【０００２】
図６に示すように、従来のワイパー９は結合部材９１を含み、結合部材９１はバーテブラ９２の両側に係合される。バーテブラ９２は二つの結合キャップ９３を結合し、そして、二つの結合キャップ９３はそれぞれ結合部材９１の両側に位置する。バーテブラ９２は、例えば、二つの結合キャップ９３を介して払拭ゴム９４を結合することができる。これにより、払拭ゴム９４をバーテブラ９２の下方に位置させることができ、ワイパー９が車両の風防ガラスに当接する際、ワイパーアームにより結合部材９１を連動させて、払拭ゴム９４により風防ガラスを払拭するように、ワイパー９を全体的に風防ガラスの表面に対して変位させることができる。
【先行技術文献】
【特許文献】
【０００３】
【特許文献１】中国公告第２０８０５３２９８Ｕ号公報
【考案の概要】
【考案が解決しようとする課題】
【０００４】
しかしながら、このような従来のワイパー９の結合部材９１は、係合によってバーテブラ９２の両側に結合するので、結合部材９１とバーテブラ９２との間に間隙が生じ、その間隙によりバーテブラ９２の結合部材９１に対する変位を引き起こしてしまい、その結果、ワイパーアームにより結合部材９１を連動させる際、バーテブラ９２が結合部材９１に対して揺れが発生するので、ワイパー９の風防ガラスに対する掃除効果が減少するという問題があり、従来のワイパーには確実に改良すべき欠点があった。
【０００５】
本考案は、上記の課題を解決するために、結合部材とバーテブラとを確実に結合することができるワイパーを提供することを目的とするものである。
【０００６】
本考案の説明において、「上（頂）」、「下（底）」、「内」、「外」等の方向を示す用語は、主に図面上における方向を参照するものであり、上記各方向用語は、本考案の各実施例を説明する上で容易に理解できるように用いられるものであり、本考案を限定するものではない。
【０００７】
本考案の部材或いは構造において、使用された「一つ」或いは「一個」等の助数詞は、説明の都合上で使用されたものであり、また本考案の特許請求の範囲について通常の意義を与えるもので、本考案において一個または少なくとも一個を解釈すべきであり、且つ、明確に別の意味を指していない限り、一つの意味には複数の場合も含まれている。
【０００８】
本考案において、「結合」、「合成」、「組立て」、「前」等の近似用語は、主に、連接しても破壊せずに分離することができ、或いは、連接すると分離することが不可能という形態を含み、当業者には、連接しようとする部材の材質または組立て形式により選択することができるものを指す。
【課題を解決するための手段】
【０００９】
本考案によるワイパーは、少なくとも一つの側板及び少なくとも一つの結合塊を有する結合部材と、少なくとも一つのバーテブラと間隙とを有するバーテブラユニットと、払拭ゴムとを含む。前記少なくとも一つのバーテブラは、少なくとも一つの第一位置固定孔及び相対的な二つの側縁を有し、前記少なくとも一つの結合塊が前記少なくとも一つの第一位置固定孔を穿通する。前記少なくとも一つの側板は、前記少なくとも一つのバーテブラにおいて、前記二つの側縁の一つに当接し、前記少なくとも一つの側板と前記少なくとも一つの結合塊とを熔接により結合され、前記払拭ゴムが前記バーテブラユニットの間隙に結合をされる。
【００１０】
このように構成することにより、本考案のワイパーは、結合部材の側板と結合塊を熔接により結合させることにでバーテブラを固定するので、バーテブラユニットは熔接により結合部材内に挟むことができる。そのため、バーテブラユニットと結合部材との相対的な変位が発生せず、バーテブラユニットと結合部材との間に堅牢な結合が形成され、払拭ゴムを確実にアームに連動させることにより風防ガラスを確実に払拭する効果を有することができる。
【００１１】
また、本考案のワイパーにおける前記少なくとも一つのバーテブラは、二つの第一位置固定孔を有することもでき、前記結合部材は二つの結合塊を有し、前記二つの結合塊はそれぞれ二つの第一位置固定孔を穿通すると共に、前記少なくとも一つのバーテブラを固定するように熔接により結合される。これにより、前記少なくとも一つのバーテブラと前記結合部材との相対的な変位を発生しない効果を有する。
【００１２】
また、本考案のワイパーにおける前記結合部材は、二つの側板と四つの結合塊を有することもでき、前記二つの側板と前記四つの結合塊が間隔を取って互いに相対するように、前記結合部材の底面に連接され、且つ、前記四つの結合塊が前記二つの側板の内側にそれぞれ位置し、前記二つの側板が二つの結合塊の位置にそれぞれ対応するように設けられる。これにより、二つの側板と四つの結合塊はバーテブラユニットを確実に位置固定させ、バーテブラユニットの位置を外れることを避ける効果を有する。
【００１３】
また、本考案のワイパーにおける前記バーテブラの数は二個であり、前記間隙は二つのバーテブラの間に形成し、前記二つのバーテブラはそれぞれ二つの第一位置固定孔を有することもできる。これにより、前記二つのバーテブラと払拭ゴムを確実に結合することか゜できる効果を有する。
【００１４】
また、本考案のワイパーにおける前記払拭ゴムは、相対する二つの結合溝を有することもでき、前記払拭ゴムが前記二つの結合溝により前記間隙に嵌合される。これにより、払拭ゴムがは二つのバーテブラの間に確実に結合され、払拭ゴムの脱落を防止できる効果を有する。
【００１５】
また、本考案のワイパーにおける前記バーテブラユニットは、二つのカバーを有することもでき、前記バーテブラの数が二個であり、前記二つのカバーは二つバーテブラの相対する端部にそれぞれ嵌合される。これにより、前記二つのカバーは二つバーテブラの二つの端部にそれぞれ固定され、二つバーテブラを確実に結合できる効果を有する。
【００１６】
また、本考案のワイパーにおける前記二つのカバーはそれぞれ二つの係合塊を有し、前記二つのバーテブラの相対する二つの端部はそれぞれ第二位置固定孔を有し、各カバーの二つの係合塊は同時に二つのバーテブラの二つの第二位置固定孔に穿通することもできる。これにより、前記二つのカバーと二つバーテブラはそれぞれ確実に結合できる効果を有する。
【００１７】
また、本考案のワイパーにおける各結合塊は矩形突起柱であり、前記矩形突起柱の厚さは前記矩形突起柱の固定端から自由端に向かって次第に縮減することもできる。これによって、前記結合部材は前記バーテブラユニットを位置合わせすることができ、組立ての便利性を向上する効果を有する。
【００１８】
また、本考案のワイパーにおける前記結合部材は、二つの第一枢結部を有することもでき、前記二つの第一枢結部は同軸となるように設けられる。これによって、前記結合部材を一個のワイパー連接ヘッドに対して枢転させることで、ワイパーの角度を調整する効果を有する。
【００１９】
また、本考案のワイパーにおける前記少なくとも一つの側板及び少なくとも一つの結合塊の自由端を、熔接により、前記少なくとも一つのバーテブラの側縁と表面に貼接することもできる。これによって、前記少なくとも一つのバーテブラと前記結合部材を確実に結合する効果を奏する。
【図面の簡単な説明】
【００２０】
【図１】本考案の一実施例の分解斜視図。
【図２】本考案の一実施例の結合部材の斜視図。
【図３】本考案の一実施例の結合部材とバーテブラを熔接する前の状態の断面図。
【図４】本考案の一実施例の結合部材とバーテブラを熔接する後の状態の断面図。
【図５】本考案の一実施例の結合部材とバーテブラを熔接する前の状態の斜視図。
【図６】従来のワイパーの分解斜視図。
【考案を実施するための形態】
【００２１】
本考案の実施の一形態について、以下、図面を参照して説明する。
【００２２】
図１は本考案のワイパーの一実施例を示す図であり、本考案のワイパーは、結合部材１とバーテブラユニット２と払拭ゴム３とを含み、払拭ゴム３はバーテブラユニット２に結合され、バーテブラユニット２は結合部材１に結合される。
【００２３】
図２に示すように、結合部材１の底面は、バーテブラユニット２を結合するのに用いられる少なくとも一つの側板１１及び少なくとも一つの結合塊１２を有する。本実施例では側板１１の数は二個であり、二つの側板１１は結合部材１の底面に連接され、且つ、二つの側板１１は互いに間隔を取って相対する。結合塊１２の数は四つであることが好ましく、四つの結合塊１２は側板１１と同様に結合部材１の底面に連接され、且つ、四つの結合塊１２は二つの側板１１の内側に位置する。二つの側板１１はそれぞれ二つの結合塊１２の位置に対応するように設けられることが好ましく、それにより、二つの側板１１と四つの結合塊１２は確実にバーテブラユニット２の位置を固定させることができる。結合塊１２は矩形突起柱、円型突起柱または円錐突起柱などの幾何学的形状の断面を有する突起柱であってもよく、本考案では制限されない。本実施例では、各結合塊１２は矩形突起柱であり、より好ましくは、矩形突起柱の厚さは、矩形突起柱の固定端から自由端に向かって次第に縮減するように形成することができ、それにより、結合部材１は簡便にバーテブラユニット２に位置を合わせることができる。
【００２４】
さらに、結合部材１は二つの第一枢結部１３を有することができ、二つの第一枢結部１３は軸または孔であってもよく、本考案では制限されない。本実施例では、第一枢結部１３は二つの突軸であり、二つの第一枢結部１３は、それぞれ結合部材１の頂面における両側に位置し、二つの第一枢結部１３は同軸となるように設けられ、且つ、後述する一個のワイパー連接ヘッドに結合するのに用いられる。
【００２５】
図１に示すように、バーテブラユニット２は少なくとも一つのバーテブラ２１と間隙Ｇとを有し、少なくとも一つのバーテブラ２１は少なくとも一つの第一位置固定孔２２を有する。第一位置固定孔２２の数は結合塊１２の数と同じで、少なくとも一つの結合塊１２が少なくとも一つの第一位置固定孔２２を穿通する。さらに、少なくとも一つのバーテブラ２１は相対する二つの側縁を有し、少なくとも一つの側板１１は少なくとも一つのバーテブラ２１の一方の側縁に当接する。本実施例では、バーテブラ２１は二個であることを例として説明し、且つ、二つのバーテブラ２１の間に間隙Ｇを形成し、二つのバーテブラ２１はそれぞれ二つの第一位置固定孔２２を有する。図３に示すように、結合部材１の各結合塊１２はそれぞれ二つのバーテブラ２１の第一位置固定孔２２を穿通し、且つ、結合部材１の各側板１１はそれぞれ一つのバーテブラ２１の一方の側縁２３に当接することにより、二つのバーテブラ２１の位置を固定することができる。
【００２６】
図４、５に示すように、少なくとも一つの側板１１と少なくとも一つの結合塊１２を熔接により結合しており、それ故、少なくとも一つのバーテブラ２１と結合部材１が揺れたり脱落したりせずに確実に結合させることができる。この側板１１と結合塊１２との熔接は、溶接、圧接、または超音波接合などの従来の熔接法により熔接を行うことができる。本実施例では、各側板１１はそれぞれ二つの結合塊１２と溶融した後、二つのバーテブラ２１の側縁と表面を覆うことにより、二つのバーテブラ２１と結合部材１との結合安定性をさらに向上させることができる。
【００２７】
再び図１を参照すると、バーテブラユニット２は二つのカバー２４を有する。二つのカバー２４は二つの係合塊２５をそれぞれ有する。各バーテブラ２１の相対する二つの端部はそれぞれ第二位置固定孔２６を有し、二つのカバー２４はそれぞれ二つのバーテブラ２１の相対する二つの端部に係合する。各カバー２４の二つの係合塊２５は、同時に二つのバーテブラ２１の一方の第二位置固定孔２６を穿通し、それにより、二つのカバー２４はそれぞれ二つのバーテブラ２１の端部に固定することができる。また、二つのカバー２４と二つのバーテブラ２１の間に加圧キャップ２７をそれぞれ有し、二つの加圧キャップ２７はそれぞれ二つのバーテブラ２１の端部に結合する。それにより、バーテブラユニット２の見た目を改善し、さらに、二つのバーテブラ２１の結合安定性を向上させる効果を有する。
【００２８】
払拭ゴム３はバーテブラユニット２の間隙Ｇに結合される。より詳しく言うと、二つのバーテブラ２１を結合部材１に結合すると、二つのバーテブラ２１の間に間隙Ｇが形成される。払拭ゴム３は間隙Ｇに嵌合され、かつ、二つのバーテブラ２１の間に確実に結合するように二つの結合溝３１を有し、そして、払拭ゴム３は二つのカバー２４と加圧キャップ２７に嵌合することができる。さらに、払拭ゴム３は払拭ゴム３の表面から突出するように形成されたストリップ３２を有する。ストリップ３２は風防ガラスの表面に確実に貼接するために風防ガラスの表面に押圧され、かつ、風防ガラスの表面の弧度に合わせて弾性変形することができる。
【００２９】
続いて図１に示すように、本考案のワイパーはワイパー連接ヘッド４に結合することができる。ワイパー連接ヘッド４は、相対する二つの側壁４１及び二つの側壁４１に連接される基部４２を有し、二つの側壁４１と基部４２との間に結合部材１を収容するための枢結空間４３が形成される。二つの側壁４１はそれぞれ第二枢結部４４を有し、二つの第二枢結部４４は穿通孔であってもよく、二つの第一枢結部１３は二つの第二枢結部４４と枢結することができる。これにより、結合部材１がワイパー連接ヘッド４に対して枢動することができる。ワイパー連接ヘッド４の基部４２はさらに位置制限塊４５を有することが好ましい。位置制限塊４５はワイパー連接ヘッド４がワイパーを結合する表面の反対面から突出する。
【００３０】
また、ワイパー連接ヘッド４は回動アーム５に結合することができ、回動アーム５は二つの壁板５１を有する。二つの壁板５１の間には収容部５２が形成される。ワイパー連接ヘッド４は収容部５２に設けられる。回動アーム５は位置制限孔５３を有し、ワイパー連接ヘッド４の位置制限塊４５を位置制限孔５３に係合することができる。回動アーム５の二つの壁板５１はそれぞれ係止部５４を有する。ワイパー連接ヘッド４の二つの側壁４１の縁部は係止部５４に当接することができるので、ワイパー連接ヘッド４が回動アーム５に結合することができ、それにより、ワイパー連接ヘッド４が回動アーム５から脱落することを防止することができる。回動アーム５を作動させる際、回動アーム５がワイパー連接ヘッド４を介してワイパーを連動させ、ワイパーが風防ガラスに対する掃除を行うようにワイパーの往復揺動を行わせることができる。
【００３１】
かくして、本考案のワイパーは、結合部材の側板と結合塊を熔接により結合させることによりバーテブラが固定されるので、バーテブラユニットは熔接により結合部材内に挟むことができ、それにより、バーテブラユニットと結合部材との相対的な変位が発生するのを防止し、バーテブラユニットと結合部材との間に堅牢な結合を形成させ、払拭ゴムが確実にアームに連動することにより風防ガラスを払拭する効果を有することができる。
【００３２】
本考案は、その精神と必須の特徴事項から逸脱することなく他のやり方で実施することもできる。従って、本明細書に記載した好ましい実施形態は、例示的なものであり、本考案の範囲を限定するものではない。
【符号の説明】
【００３３】
１        結合部材
１１      側板
１２      結合塊
１３      第一枢結部
２        バーテブラユニット
２１      バーテブラ
２２      第一位置固定孔
２３      側縁
２４      カバー
２５      係合塊
２６      第二位置固定孔
２７      加圧キャップ
３        払拭ゴム
３１      結合溝
３２      ストリップ
４        ワイパー連接ヘッド
４１      側壁
４２      基部
４３      枢結空間
４４      第二枢結部
４５      位置制限塊
５        回動アーム
５１      壁板
５２      収容部
５３      位置制限孔
５４      係止部
９        ワイパー
９１      結合部材
９２      バーテブラ
９３      結合キャップ
９４      払拭ゴム
Ｇ        間隙
【図１】
0003234365.tif 000003
【図２】
0003234365.tif 000004
【図３】
0003234365.tif 000005
【図４】
0003234365.tif 000006
【図５】
0003234365.tif 000007
【図６】
0003234365.tif 000008